(57)【要約】      （修正有）【課題】建築工事についての実働経験が少ない作業者が、面木設置作業に重要な面木の角の取り合いを、面木設置作業に熟達した作業者と同様に、正確かつ迅速に面木の端部切断が可能であり、縦目地用面木の端部切断を正確かつ迅速に作業することが可能な面木の端部切断補助具を提供する。【解決手段】補助具Ａは、角柱状基台１と、当該基台１に着脱自在に取り付けられた一対のアタッチメント２、３と、切断ガイド４及び目盛板５を主要な構成部材としている。コンクリート構造物等の角部に面取りを形成する際に使用する面木の端部（突き合わせ部）を、４５°に正確に切断する。面木の一次加工、縦目地用面木の端部を的確にカットする二次加工が、同じ切断補助具で連続的に行うことができるので作業効率を著しく向上することができる。【選択図】図１
0003147158.tif 000002
【実用新案登録請求の範囲】
【請求項１】
土木・建築工事における型枠組立作業等に用いられる面木の端部切断補助具であって、
正面には目盛板が取り付けられ、両端側は台座によって支持された角柱状基台と、
前記基台に着脱自在に取り付けられた一対のアタッチメントと、
前記基台の上面一端側に配設された縦目地用の切断ガイドとからなる、
ことを特徴とする、面木の端部切断補助具。
【請求項２】
前記基台、アタッチメント及び切断ガイドの素材が、木材又は硬質樹脂材からなる、
ことを特徴とする、請求項１に記載する面木の端部切断補助具。
【請求項３】
前記基台の正面長手方向には、前記アタッチメントを嵌合するための凹溝とスライド溝が設けられている、
ことを特徴とする、請求項１〜請求項２の何れかに記載する面木の端部切断補助具。
【請求項４】
前記基台に設けられた凹溝の内壁部は、前記スライド溝に向けてテーパー面が形成されている、
ことを特徴とする、請求項１〜請求項３の何れかに記載する面木の端部切断補助具。
【請求項５】
前記基台上面には、アクリル樹脂板が貼着されていると共に、前記切断ガイドの両側に縦目地用の端部を所定角度に切断するための目印線と面木寸法が１〜複数表示されている、
ことを特徴とする、請求項１〜請求項４の何れかに記載する面木の端部切断補助具。
【請求項６】
前記アタッチメントは、前記基台に設けられた凹溝に嵌合する凸部と、
前記凸部の外面部に垂直に立設された平面視二等辺三角形状の鋸当て部と、
前記鋸当て部に添設された補強部と、
前記凸部を前記基台の凹溝に固定するための取付部材とからなる、
ことを特徴とする、請求項１〜請求項３の何れかに記載する面木の端部切断補助具。
【請求項７】
前記取付部材が、前記凸部内に取り付けられたボルトと、
当該ボルトにねじ止めされる蝶ナット及び座金からなる、
ことを特徴とする、請求項１〜請求項３、請求項６の何れかに記載する面木の端部切断補助具。
【請求項８】
前記縦目地用の切断ガイドは、側面視二等辺三角形状をなしている、
ことを特徴とする、請求項１、請求項２又は請求項５の何れかに記載する面木の端部切断補助具。
【請求項９】
前記縦目地用の切断ガイドには、面木を固定するための固定板が添設されている、
ことを特徴とする、請求項１、請求項２、請求項５又は請求項８の何れかに記載する面木の端部切断補助具。
【考案の詳細な説明】
【技術分野】
【０００１】
本考案は、面木の端部切断補助具に関し、より詳しくは、土木・建築工事における型枠組立作業、例えばコンクリート構造物又はモルタル構造物の角部に面取りを形成する際に使用する面木の端部を４５°に切断し、正確かつ迅速に切断すると共に、縦目地の形成に必要な端部のカットを的確に行うことができる面木の端部切断補助具に関する。
【背景技術】
【０００２】
面木は、木製又は発泡スチロール等の樹脂からなる三角形状の建築部材をいい、コンクリート構造物等の角部を面取りするため、コンクリート打設前、型枠の入隅に取り付けられる。従来から、コンクリート構造物等の角部を面取りするための型枠組立作業における面木の取り付け作業、特に、角の取り合い（突き合わせ）と称される、面木の端部を４５°の角度で切断する作業は、熟練を要するものであり、作業者の勘や長年の経験を伴う個人差により、仕上がりに差異が生じる。面木の設置作業に不馴れな作業者は、角の取り合いがうまくできないので、面木を何度も切り直すために多数の面木を無駄にし、かつ作業効率も悪いという不具合が起きている。さらに、角の取り合いに時間をかけて面木の端部を切断したにもかかわらず、コンクリート又はモルタルの打設後、脱枠した後の仕上がり面について、およそ満足できるものが少なく、手間をかけたわりには、設置技術の差が歴然と現れる。即ちコンクリート構造物等における面取り部の仕上がりの善し悪しは、作業者の熟練度によって左右され、その均等性や精度に欠けるという問題点が指摘されている。
【０００３】
上記、従来技術における問題点を解決するとして、実用新案登録３１２５１６７の「面木切断補助具」（特許文献１）が、開示されている。特許文献１は、面木の突き合わせ側の端部を簡単かつ正確に４５°で傾斜カット可能な面木切断補助具を提供する、ことを課題とし、その解決手段は、三角筒体の長さ方向の両端面を、それぞれの直交する２辺間の頂点を基点とし、面木切断補助具の三角筒体の長さ方向の中間部側へ４５°傾斜した内傾斜切断ガイド面１としたので、内傾斜切断ガイド面に沿って面木を切断するだけで、面木の突き合わせ側の端部を、簡単かつ正確に、直交する２辺間の頂点を基点とし、面木の長さ方向の中間部側へ４５°で傾斜カットできる、構成としている。
【特許文献１】実用新案登録第３１２５１６７号公報
【考案の開示】
【考案が解決しようとする課題】
【０００４】
しかしながら、特許文献１は、三角筒体の筒部に面木を挿入し、両端部に位置決め釘を打ち込んだ後、片手で三角筒体を把持し、鋸により内傾斜切断ガイド面に沿って面木を切断するが、三角筒体が不安定であるから、位置決め釘を面木に打ち込む作業は、極めて困難であり、面木切断後の位置決め釘の引き抜き作業を行わなければならないので作業効率が極めて悪いと思われる。また、面木寸法は各種あり、それぞれの面木寸法に適合する筒部が形成された三角筒体の「面木切断補助具」を、多種類準備しなければならないという不具合がある。
【０００５】
本考案の第１の課題は、従来技術及び特許文献１が有する問題点や不具合を除去するために、建築工事についての実働経験が少ない作業者が、面木設置作業に重要な面木の角の取り合いを、面木設置作業に熟達した作業者と同様に、正確かつ迅速に面木の端部切断が可能な面木の端部切断補助具の提供であり、第２の課題は、縦目地用面木の端部切断を正確かつ迅速に作業することが可能な面木の端部切断補助具を提供することにある。
【課題を解決するための手段】
【０００６】
本願考案者は、上記従来技術に鑑みて鋭意検討を重ね、本考案を完成させたものである。課題を解決するための手段は、本願、実用新案登録請求の範囲の各請求項に記載の考案であり、その具体的な解決手段は以下の通りである。
＊＊＊＊＊＊＊＊＊＊＊＊＊＊＊＊＊＊＊＊＊＊＊＊＊＊＊＊＊＊＊＊＊＊＊＊＊＊＊＊
本考案の明細書、図面に記載の用語についての解釈上の疑義を解消すべく、以下に本願
明細書、図面に記載する用語の説明を行うこととする。
〈用語の説明〉
○面木とは、角形のコンクリート柱や梁等のすみ角の面をとって欠損を減らすと共に、
外観を良くするために型枠の入隅に取り付けられる三角形部材をいう。木製と発泡スチロール等の樹脂製がある。
○ 面づらとは、面木の斜辺部又はその幅をいう。面木寸法は面づらで示される。
○縦目地とは、コンクリート構造物等において、外観を良くするために隣設された当該コンクリート構造物間に形成される縦状の筋目をいう。
○角の取り合いとは、コンクリート構造物等の角部に面取りを形成するために型枠に取り付けられる面木の端部を４５°の角度で切断する作業をいう。角の突き合わせともいう。角の取り合い作業は、熟練を要するもので、この作業に不馴れな作業者は、面木の各端部を正確かつ迅速に４５°の角度で切断することは困難である。
○一次加工とは、型枠に取り付けられる面木の端部を４５°の角度で切断する作業（角の取り合い）をいう。
○二次加工とは、縦目地用の面木を製作するために一次加工された面木の端部をさらに４５°の角度で切断する作業をいう。
○台座とは、角柱状基台の両端側に設けられた面木の端部を鋸で切断する際、基台の揺動を防止するための固定台をいう。
○アタッチメントとは、面木の端部を鋸で４５°の角度で切断するための面木用の当接部材をいう。基台の凹溝に嵌合する凸部と、当該凸部の外面部に垂直に立設された平面視二等辺三角形状の鋸当て部と、鋸当て部に添設された補強部と、ボルト、蝶ナット及び座金からなる取付部材とで構成されている。
○切断ガイドとは、縦目地用の面木を製作するためのもので、基台の上面一端に設けられた、側面視二等辺三角形状の面木保持部材をいう。
○目印線とは、縦目地用面木の端部を切断するための角度（４５°）線、面づら（面木寸法）及び面木先端の設定位置を示すための表示線をいう。例えば角度（４５°）線と面づら（面木寸法）が、切断ガイドの両側に対称的に表示されている。
＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第９考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
第７の考案は、請求項７に記載の考案であり、
第８の考案は、請求項８に記載の考案であり、
第９の考案は、請求項９に記載の考案であり、
その具体的な解決手段は、以下の通りである。      
【０００７】
［第１の考案］
上記の課題を解決するための第１の考案は、
「土木・建築工事における型枠組立作業等に用いられる面木の端部切断補助具であって、
正面には目盛板が取り付けられ、両端側は台座によって支持された角柱状基台と、
前記基台に着脱自在に取り付けられた一対のアタッチメントと、
前記基台の上面一端側に配設された縦目地用の切断ガイドとからなる」
ことを特徴としている。
【０００８】
［第２の考案］
上記の課題を解決するための第２の考案は、
「前記基台、アタッチメント及び切断ガイドの素材が、木材又は硬質樹脂材からなる」
ことを特徴としている。
【０００９】
［第３の考案］
上記の課題を解決するための第３の考案は、
「前記基台の正面長手方向には、前記アタッチメントを嵌合するための凹溝とスライド溝が設けられている」
ことを特徴としている。
【００１０】
［第４の考案］
上記の課題を解決するための第４の考案は、
「前記基台に設けられた凹溝の内壁部は、前記スライド溝に向けてテーパー面が形成されている」
ことを特徴としている。
【００１１】
［第５の考案］
上記の課題を解決するための第５の考案は、
「前記基台上面には、アクリル樹脂板が貼着されていると共に、前記切断ガイドの両側に縦目地用の端部を所定角度に切断するための目印線と面木寸法が１〜複数表示されている」
ことを特徴としている。
【００１２】
［第６の考案］
上記の課題を解決するための第６の考案は、
「前記アタッチメントは、前記基台に設けられた凹溝に嵌合する凸部と、
前記凸部の外面部に垂直に立設された平面視二等辺三角形状の鋸当て部と、
前記鋸当て部に添設された補強部と、
前記凸部を前記基台の凹溝に固定するための取付部材とからなる」
ことを特徴としている。
【００１３】
［第７の考案］
上記の課題を解決するための第７の考案は、
「前記取付部材が、前記凸部内に取り付けられたボルトと、
当該ボルトにねじ止めされる蝶ナット及び座金からなる」
ことを特徴としている。
【００１４】
［第８の考案］
上記の課題を解決するための第８の考案は、
「前記縦目地用の切断ガイドは、側面視二等辺三角形状をなしている」
ことを特徴としている。
【００１５】
［第９の考案］
上記の課題を解決するための第９の考案は、
「前記縦目地用の切断ガイドには、面木を固定するための固定板が添設されている」
ことを特徴としている。
【考案の効果】
【００１６】
本考案に係る、面木の端部切断補助具は、上記の構成になるから以下の効果を奏する。即ち、第１の考案によれば、
「土木・建築工事における型枠組立作業等に用いられる面木の端部切断補助具であって、
正面には目盛板が取り付けられ、両端側は台座によって支持された角柱状基台と、
前記基台に着脱自在に取り付けられた一対のアタッチメントと、
前記基台の上面一端側に配設された縦目地用の切断ガイドとからなる」
という、当業界においては想到することが困難な特徴的な構成により、
本考案に係る面木の端部切断補助具は、建築工事についての実働経験が少ない作業者が、面木設置作業に重要な面木の角の取り合いを、面木設置作業に熟達した作業者と同様に、正確かつ迅速に面木の端部切断が可能な面木の端部切断補助具の提供という第１の課題と、縦目地用面木の端部切断を正確かつ迅速に作業することが可能な面木の端部切断補助具の提供という第２の課題とを一挙に解決することができた。即ちコンクリート構造物等の角部に面取りを形成する際に使用する面木の端部（突き合わせ部）を、４５°に正確に切断する、面木の一次加工、縦目地用面木の端部を的確にカットする二次加工が、同じ切断補助具で連続的に行うことができるので作業効率を著しく向上することができた。さらに面木寸法に関係なく使用することが可能な汎用性を有するものである。また基台の正面には、目盛板が取り付けられているので、面木の長さを計測するための金尺やメジャー等を工具箱から取り出す必要もなくなった。
【００１７】
第２の考案によれば、
「前記基台、アタッチメント及び切断ガイドの素材が、木材又は硬質樹脂材からなる」
という、当業界においては想到することが困難な特徴的な構成により、
本考案に係る面木の端部切断補助具の主要部材である基台、台座および切断ガイド等の素材を硬質樹脂材とすれば、公知技術により一体成型が可能であるから、大量製作により製作コストを安価にすることができる。また本考案切断補助具の総重量は、軽量とすることができるので、作業現場への携行が容易で、かつ作業スペースが狭小であっても、面木の切断作業は円滑に進められる。
【００１８】
第３の考案によれば、
「前記基台の正面長手方向には、前記アタッチメントを嵌合するための凹溝とスライド溝が設けられている」
という、当業界においては想到することが困難な特徴的な構成により、
アタッチメントは、基台の凹溝に嵌合され強く固定されているので、面木の切断作業を効率よく行うことができる。またアタッチメントを交換するための着脱作業やアタッチメント間の距離を調整するためのスライドを簡便に行うことができる。
【００１９】
第４の考案によれば、
「前記基台に設けられた凹溝の内壁部は、前記スライド溝に向けてテーパー面が形成されている」
という、当業界においては想到することが困難な特徴的な構成により、
基台の凹溝とアタッチメントとの凸部は、取付部材により基台の凹溝に強く固定され、またアタッチメントの左右へのスライドは、取付部材を緩めるだけで迅速に行うことができる。
【００２０】
第５の考案によれば、
「前記基台上面には、アクリル樹脂板が貼着されていると共に、前記切断ガイドの両側
に縦目地用の端部を所定角度に切断するための目印線と面木寸法が１〜複数表示されている」
という、当業界においては想到することが困難な特徴的な構成により、
端部を切断するための面木のスライドは、基台の上面を滑るように動かすことができ、
縦目地用の端部を所定角度に切断するとき、面づら（面木寸法）が、例えば２５ｍｍのときは、面木を片方の手で目印線の２５に合わせて切断ガイド当接し、他方の手で把持した鋸により切断すれば、縦目地用面木の端部切断作業は完了する。同様に面づら（面木寸法）が、２０ｍｍのときは、面木の端部を目印線の２０に合わせて確実に所定角度で切断することができる。
【００２１】
第６の考案によれば、
「前記アタッチメントは、前記基台に設けられた凹溝に嵌合する凸部と、
前記凸部の外面部に垂直に立設された平面視二等辺三角形状の鋸当て部と、
前記鋸当て部に添設された補強部と、
前記凸部を前記基台の凹溝に固定するための取付部材とからなる」
という、当業界においては想到することが困難な特徴的な構成により、
面木の端部は、鋸当て部に添設され鋸を用いて４５°の角度で正確かつ迅速切断する
ことができる。
【００２２】
第７の考案によれば、
「前記取付部材が、前記凸部内に取り付けられたボルトと、
当該ボルトにねじ止めされる蝶ナット及び座金からなる」
という、当業界においては想到することが困難な特徴的な構成により、
アタッチメントの着脱、交換および基台の凹溝における移動作業が簡便にできる。
【００２３】
第８の考案によれば、
「前記縦目地用の切断ガイドは、側面視二等辺三角形状をなしている」
という、当業界においては想到することが困難な特徴的な構成により、
縦目地用面木の端部を確実かつ迅速に切断加工をすることができる。
【００２４】
第９の考案によれば、
「前記縦目地用の切断ガイドには、面木を固定するための固定板が添設されている」
という、当業界においては想到することが困難な特徴的な構成により、
縦目地用の面木は、切断ガイドと固定板により安定して保持されるので、一方の手で
面木を上方から押圧し、他方の手で把持した鋸を用いて端部の切断は容易に行われる。
【考案を実施するための最良の形態】
【００２５】
以下、本考案に係る、面木の端部切断補助具に関する好適な実施形態について、図面を参照しながら説明する。
図１は、本考案に係る、面木の端部切断補助具の全体構成を示す斜視図である。
図２は、同正面図である。
図３は、同平面図である。
図４は、同背面図である。
図５は、同側面図である。
図６は、図２における６−６線断面図である。
図７は、図２における７−７線断面図である。
図８は、アタッチメントの分解斜視図で、（イ）は、スライド用アタッチメント、（ロ）は、固定用アタッチメントである。
図９（イ）は、型枠に面木及び縦目地用の面木を設置した状態の平面図、（ロ）は、図９（イ）における９−９線断面図である。
図１０（イ）は、面木の平面図、（ロ）は、正面図、（ハ）は側面図である。
図１１（イ）は、縦目地用の面木の平面図、（ロ）は、同正面図、（ハ）は、同底面図、（ニ）は、同側面図である。
図１２は、面木を一次加工するために面木の端部切断補助具に載置した状態の平面図である。
図１３（イ）、（ロ）は、面木を一次加工する手順を説明する平面図である。
図１４は、一次加工された面木を、二次加工するために切断ガイドに載置した状態の要部平面図である。
図１５（イ）、（ロ）は、面木を二次加工して、縦目地用面木を製作する手順を説明する平面図である。
【００２６】
本考案に係る、面木の端部切断補助具（以下、補助具Ａという）は、図１〜図４に示すように基台１、一対のアタッチメント２、３、切断ガイド４及び目盛板５を主要な構成部材としている。基台１、一対のアタッチメント２、３及び切断ガイド等の素材は、木材又は硬質樹脂材、例えばポリプロピレン樹脂、スチロール樹脂、ポリ塩化ビニール樹脂、ポリスチレン樹脂、ＦＲＰ等からなっている。本願明細書等においては、基台１、アタッチメント２、３及び切断ガイド等の主要な構成部材を木材とした実施態様を中心に説明する。
【００２７】
本考案に係る、補助具Ａは、図９〜図１１に示す型枠Ｋの入り隅に取り付ける面木Ｍ及び縦目地用面木Ｍ１の角の取り合いを正確かつ迅速に行うためのもので、アタッチメント２、３を介して面木Ｍの端部Ｍａ、Ｍｂをそれぞれ４５°の角度で切断する一次加工（図１０に図示するハッチング部を切断する）、切断ガイド４を介して一次加工された面木Ｍの端部Ｍａ、Ｍｂをさらに４５°の角度で切断し、縦目地用面木Ｍ１を製作する二次加工（図１１に図示するＭ１ａ、Ｍ１ｂ）を行う補助具Ａである。なお図９に図示するＴＭは縦目地である。
【００２８】
以下、本考案に係る補助具Ａについて詳細に説明する。図１〜図４に図示する基台１は、角柱状をなし、その長手寸法Ｌ１は、約５０ｃｍ〜１００ｃｍ、高さ寸法Ｈ１は、約１２
ｃｍ〜１４ｃｍ、幅寸法Ｗは、約４ｃｍとされている。基台１の正面には面木Ｍの長さを測定するための目盛板５が取り付けられ、基台１の両端側は台座１１、１２によって支持
されている。また正面長手方向には、一対のアタッチメント２、３を嵌合するための凹溝
１３とスライド溝１４が設けられている。図６及び図７に示すように、凹溝１３の内壁部には、スライド溝１４に向けてテーパー面１３ａ、１３ｂが形成され、アタッチメント２、３の凹溝１３への嵌合が円滑に行えるようになっている。基台１の上面１ａには、アクリル樹脂板１５が貼着されている。
【００２９】
基台１の上面１ａにおける一端側には、切断ガイド４が配設されている。切断ガイド４は、面木Ｍを二次加工して縦目地用面木Ｍ１を製作する際に使用されるもので、切断ガイド４の長手寸法Ｌ２は、約１７〜１８ｃｍ、切断ガイド４の高さ寸法Ｈ２は、約２０〜２２ｍｍの側面視三角形状をなし、面づら（斜辺部）の一辺を基台１上面１ａの背面側１ｂに当接させて、釘によって固定されている。基台１の背面側１ｂには、面木Ｍを切断ガイド４に固定するための固定板４０が添設されている。固定板４０の長手寸法は、切断ガイドの長手寸法Ｌ２と同寸とし、固定板４０の頂部４０ａは、基台１の上面１ａから約８ｍｍ突出され、面木Ｍが切断ガイド４から滑落することを防ぐようになっている。切断ガイド４の両側には、４５°角度の目印線４１、４２と設定位置線４１ａ、４２ａが対称的に表示されている。Ｎは、面木Ｍの面づら寸法の表示線である。
【００３０】
図８は、アタッチメント２及び３の構造を分解して示している。図８（イ）は、基台１の略中央に設置されるスライド用アタッチメント２である。図８（ロ）は、基台１の右端部に設置される固定用アタッチメント３である。スライド用アタッチメント２及び固定用アタッチメント３は、それぞれ基台１に設けられた凹溝１３に嵌合する凸部２１、３１と、当該凸部２１、３１の外面部に垂直に立設された平面視二等辺三角形状の鋸当て部２２、３２と、鋸当て部２２、３２に添設された補強部２３、３３とを備えている。スライド用アタッチメント２及び固定用アタッチメント３には、凸部２１、３１を基台１の凹溝１３に固定するための取付部材６及び７が装着されている。６１、７１はボルトで、ボルト６１、７１の先端部は、スライド用アタッチメント２及び固定用アタッチメント３の凸部２１、３１内に埋設されている。６２、７２は蝶ナット、６３、７３は座金である。スライド用アタッチメント２の鋸当て部２２は、図８（イ）に示すように、凸部２１の略中央に立設され、固定用アタッチメント３は、図８（ロ）に示すように、凸部３１の左端部に立設されている。２４及び３４は、一次加工される面木Ｍの面づら（面木寸法）の表示で、図示する図８（イ）、（ロ）のアタッチメント２、３は、２５ｍｍの面木用を示し、アタッチメント２、３は、一次加工又は二次加工する面木Ｍの寸法により、適宜交換することができる。
【００３１】
図１２は、面木Ｍを一次加工するために補助具Ａに載置した状態を示している。面木Ｍの先端を目盛板５の０の位置５ａに合わせた後、面木Ｍを一方の手で上方から押さえるように固定し、図１３（イ）に図示するように、他方の手で把持した鋸Ｃを固定用アタッチメント３の鋸当て部３２に当接させ、矢印のように前後に動作すれば、面木Ｍの端部Ｍａは、４５°の角度に形成される。続いて、面木Ｍを基台１に載置した状態で１８０°回転させ、図１３（ロ）に図示するように設置し、予め面木Ｍの長さに合わせて設定されたスライド用アタッチメント２の鋸当て部２２に鋸Ｃを当接させ、面木Ｍを一方の手で上方から押さえるように固定し、図１３（ロ）に図示するように、他方の手で把持した鋸Ｃを矢印のように前後に動作すれば、面木Ｍの端部Ｍｂは、４５°の角度に形成される。
【００３２】
次に、面木Ｍを二次加工して縦目地用面木Ｍ１を製作する手順について説明する。一次加工された面木Ｍは、図１４に示すように、面木Ｍの先端を設定位置線４２ａに合わせ、かつ面木Ｍの一方の面づら（斜辺部）を固定板４０に当接させて切断ガイド４に載置する。続いて面木Ｍを一方の手で上方から押さえるように固定し、図１５（イ）に図示するように、例えば、面木寸法が２５ｍｍであれば、目印線２５に鋸刃を合わせ、他方の手で把持した鋸Ｃを矢印のように前後に動作すれば、面木Ｍの端部Ｍａは、４５°の角度に形成され、縦目地用面木Ｍ１の端部Ｍ１ａとなる。続いて、縦目地用面木Ｍ１を基台１に載置した状態で１８０°回転させ、図１５（ロ）に図示するように設置し、縦目地用面木Ｍ１の先端を設定位置線４１ａに合わせ、目印線２５に鋸刃を合わせ、他方の手で把持した鋸Ｃを矢印のように前後に動作すれば、面木Ｍの端部Ｍｂは、４５°の角度に形成され、縦目地用面木Ｍ１の端部Ｍ１ｂとなる。
【図面の簡単な説明】
【００３３】
【図１】は、本考案に係る、面木の端部切断補助具の全体構成を示す斜視図である。
【図２】は、同正面図である。
【図３】は、同平面図である。
【図４】は、同背面図である。
【図５】は、同側面図である。
【図６】は、図２における６−６線断面図である。
【図７】は、図２における７−７線断面図である。
【図８】は、アタッチメントの分解斜視図で、（イ）は、スライド用アタッチメント、（ロ）は、固定用アタッチメントである。
【図９】（イ）は、型枠に面木及び縦目地用の面木を設置した状態の平面図、（ロ）は、図９（イ）における９−９線断面図である。
【図１０】（イ）は、面木の平面図、（ロ）は、正面図、（ハ）は側面図である。
【図１１】（イ）は、縦目地用の面木の平面図、（ロ）は、同正面図、（ハ）は、同底面図、（ニ）は、同側面図である。
【図１２】は、面木を一次加工するために面木の端部切断補助具に載置した状態の平面図である。
【図１３】（イ）、（ロ）は、面木を一次加工する手順を説明する平面図である。
【図１４】は、一次加工された面木を、二次加工するために切断ガイドに載置した状態の要部平面図である。
【図１５】（イ）、（ロ）は、面木を二次加工して、縦目地用面木を製作する手順を説明する平面図である。
【符号の説明】
【００３４】
Ａ                    補助具
Ｍ                    面木
Ｍ１                  縦目地用面木
Ｋ                    型枠
ＴＭ                  縦目地
Ｎ                    面づら（面木寸法）表示線
Ｌ１                  基台の長手寸法
Ｌ２                  切断ガイドの長手寸法
Ｈ１                  基台の高さ寸法
Ｈ２                  切断ガイドの高さ寸法
１                    基台
１ａ                  上面
２、３                アタッチメント
４                    切断ガイド
４０                  固定板
４１、４２            目印線
４１ａ、４２ａ        設定位置線
５                    目盛板
６、７                取付部材
６１、７１            ボルト
６２、７２            蝶ナット
６３、７３            座金
１１、１２            台座
１３                  凹溝
１３ａ、１３ｂ        テーパー面
１４                  スライド溝
１５                  アクリル樹脂板
２１、３１            凸部
２２、３２            鋸当て部
２３、３３            補強部
２４、３４            面木寸法の表示
４１、４２            目印線
４１ａ、４２ａ        設定位置線
５                    目盛板
６                    取付部材
６１                  ボルト
６２                  蝶ナット
６３                  座金
１１、１２            台座
１３                  凹溝
１３ａ、１３ｂ        テーパー面
１４                  スライド溝
１５                  アクリル樹脂板
２１、３１            凸部
２２、３２            鋸当て部
２３、３３            補強部
【図１】
0003147158.tif 000003
【図２】
0003147158.tif 000004
【図３】
0003147158.tif 000005
【図４】
0003147158.tif 000006
【図５】
0003147158.tif 000007
【図６】
0003147158.tif 000008
【図７】
0003147158.tif 000009
【図８】
0003147158.tif 000010
【図９】
0003147158.tif 000011
【図１０】
0003147158.tif 000012
【図１１】
0003147158.tif 000013
【図１２】
0003147158.tif 000014
【図１３】
0003147158.tif 000015
【図１４】
0003147158.tif 000016
【図１５】
0003147158.tif 000017